(57)【要約】【課題】不要な結合モードの発生による不具合の生じない、２周波の発振器装置に利用可能な、誘電体共振素子およびその利用装置を構成する。【解決手段】それぞれ略正方形板状の第１の平板部分１ａと、第２の平板部分１ｂとが、それぞれの一辺に略平行な中心線同士を共有して交差したような形状に誘電体材を一体成形して誘電体共振素子を構成する。第１・第２の平板部分で、各平板部分の面内方向に電界ベクトルが回るＴＥ０１δモードの共振モードを生じさせる。【選択図】  図１
2004186712.tif 000002
【特許請求の範囲】
【請求項１】
それぞれ略正方形板状の第１・第２の平板部分が、それぞれの一辺に略平行な中心線同士を共有して交差したような形状に、誘電体材を一体的に形成してなり、
第１・第２の平板部分で、該平板部分の面内方向に電界ベクトルが回るＴＥ０１δモードの電磁界をそれぞれ生じさせるようにした誘電体共振素子。
【請求項２】
前記交差の角度を９０度以外の角度とした請求項１に記載の誘電体共振素子。
【請求項３】
前記第１・第２の平板部分の厚み寸法を互いに異ならせた請求項１または２に記載の誘電体共振素子。
【請求項４】
前記第１・第２の平板部分の形状を互いに異ならせた請求項１、２または３に記載の誘電体共振素子。
【請求項５】
前記第１・第２の平板部分の角を面取り形状、または丸みをもたせた形状にした請求項１〜４のいずれかに記載の誘電体共振素子。
【請求項６】
前記第１・第２のいずれか一方の平板部分の側面に、または前記第１・第２の両方の平板部分に、部分的な穴を設けた請求項１〜５のいずれかに記載の誘電体共振素子。
【請求項７】
前記第１・第２の平板部分の一方の面交差部から、前記中心線を挟んで対向する他方の面交差部への方向に、穴または貫通孔を形成した請求項１〜６のいずれかに記載の誘電体共振素子。
【請求項８】
前記第１・第２の平板部分の面交差部に、前記中心線へ向かう括れを形成した請求項１〜７のいずれかに記載の誘電体共振素子。
【請求項９】
前記第１・第２の平板部分の面交差部に、前記中心線から離れる方向に突出する突出部を形成した請求項１〜７のいずれかに記載の誘電体共振素子。
【請求項１０】
前記中心線に略直角な面である、前記第１・第２の平板部分のそれぞれの一方の側面に、前記誘電体材より低誘電率の材料からなる支持台を接合した請求項１〜９のいずれかに記載の誘電体共振素子。
【請求項１１】
前記中心線に略平行な面である、前記第１・第２のいずれか一方の平板部分の一方の側面に、前記誘電体材より低誘電率の材料からなる支持台を接合した請求項１〜９のいずれかに記載の誘電体共振素子。
【請求項１２】
請求項１０または１１に記載の誘電体共振素子と、該誘電体共振素子を収納するキャビティとからなる誘電体共振器。
【請求項１３】
請求項１２に記載の誘電体共振器と、該誘電体共振器の誘電体共振素子の所定の共振モードに結合する入出力結合手段とからなるフィルタ。
【請求項１４】
複数の前記誘電体共振素子の前記第１・第２の平板部分が、前記キャビティの内壁面に非平行となるように、当該複数の誘電体共振素子を配置した、請求項１３に記載のフィルタ。
【請求項１５】
複数の前記誘電体共振素子の前記第１・第２の平板部分のいずれか一方の平板部分同士が略同一平面を共有し、且つ前記中心線がキャビティの上下面に対して平行に向くように配置した誘電体共振素子を備えた、請求項１３に記載のフィルタ。
【請求項１６】
前記中心線がキャビティの上下面に対して垂直に向くように配置した誘電体共振素子を設け、該誘電体共振素子を請求項１５に記載の誘電体共振素子に結合させて成るフィルタ。
【請求項１７】
単一モードの共振素子を設け、該共振素子を請求項１５に記載の誘電体共振素子に結合させて成るフィルタ。
【請求項１８】
線路と、該線路の端部に接続した能動素子と、前記線路に対してその途中で結合する誘電体共振素子とを含む発振器を２組設けてなる発振器装置において、
前記線路および前記能動素子を形成した基板上に、請求項１〜１１のいずれかに記載の誘電体共振素子を載置するとともに、該誘電体共振素子の２つのＴＥ０１δモード間に生じる２つの結合モードである奇モードと偶モードの電磁界を、前記２組の発振器の線路にそれぞれ結合させた発振器装置。
【請求項１９】
前記２組の発振器の線路同士を略平行に配置し、前記誘電体共振素子を請求項１１に記載の誘電体共振素子とし、前記奇モードと偶モードの磁界を、前記２組の発振器の線路にそれぞれ結合させた請求項１８に記載の発振器装置。
【請求項２０】
請求項１２に記載の誘電体共振器、請求項１３〜１７に記載のフィルタ、または請求項１８、１９に記載の発振器装置のいずれかを備えた通信装置。
【発明の詳細な説明】
【０００１】
【発明の属する技術分野】
この発明は、ＴＥ０１δ誘電体共振素子、それを含む誘電体共振器、フィルタ、発振器装置、およびそれらを備えた通信装置に関するものである。
【０００２】
【従来の技術】
誘電体フィルタにおいては、周波数の有効利用の目的で、低損失化および周波数選択性の向上化が求められている。これらを実現するために、高い無負荷Ｑ（以下、単に「Ｑｕ」という。）特性を有する誘電体共振器が用いられている。
【０００３】
また、誘電体共振器を備えた発振器においては、低雑音化、および温度特性安定化を実現するために、高いＱｕ特性を有する誘電体共振器が用いられている。
【０００４】
このような高いＱｕを有した誘電体共振器として、ＴＥ０１δモードを利用した誘電体共振器が有効である。ＴＥ０１δのシングルモード共振器は、その共振器の形状が円筒、円柱、または多角柱、といった非常に単純な形状であるため、その設計および製造も容易であるが、多段のフィルタを構成しようとすれば、共振器をキャビティ内に１列に配列することになるため、全体のサイズが大きくなるという欠点があった。
【０００５】
そこで、このＴＥ０１δモードを多重化した誘電体共振器が提案されている。（例えば特許文献１、特許文献２参照）なお、特許文献２の「誘電体共振器装置」で述べられている、直角座標系における「ＴＥ１０１モード」は、円筒座標系で表記したＴＥ０１δモードと同一の共振モードである。
【０００６】
【特許文献１】
特開２００１−１６０７０２公報（３重モード球形誘電体フィルタとその製造方法）
【特許文献２】
特開平５−６３４１４号公報（誘電体共振器装置）
【０００７】
【発明が解決しようとする課題】
前述のような多重化したＴＥ０１δモードの誘電体共振器を用いれば、小型軽量且つ高いＱｕを有するフィルタなどが構成できる。
【０００８】
ところが、特許文献１、２で示されているような、球形または略球形状の共振器を誘電体セラミック焼結体で製造するには、非常に高い技術を要し、一般には、その加工が困難であり、非常にコストが嵩むものとなる。
【０００９】
また、このような構成の３重モード共振器を用いて、４段以上のフィルタを作成する際、共振器同士を磁界結合させる構造では、いわゆるマルチカップリングが発生し易いだけでなく、そのマルチカップリングを避けるための調整が非常に困難で、特別な手立てが必要であった。なお、特許文献１の「３重モード球形誘電体フィルタとその製造方法」には、４段以上のフィルタを構成するための具体的な手段について開示されていない。
【００１０】
特許文献２の「誘電体共振器装置」に示されているように、結合ループを用いて他の共振器と結合させれば、４段以上のフィルタを構成することは比較的容易であるが、その場合には、結合ループにより共振器のＱが著しく低下してしまい、本来の高いＱｕ特性が十分に生かされないという問題が生じる。
【００１１】
一方、誘電体共振器を用いた発振器として、たとえばＢＳ衛星放送と、ＣＳ衛星通信の信号を１台のコンバータで受信するようにしたものが、特開平９−１６２６４６に開示されている。このような、周波数帯の異なった２つの信号を受信する場合に、それぞれの周波数帯に応じた局部発振器が２つ必要となる。従来は、それぞれの局部発振器ごとに、それぞれの周波数に応じたＴＥ０１δシングルモードの共振器を用いていた。すなわち、２個のＴＥ０１δシングルモード共振器を用いていた。
【００１２】
このような発振器装置の共振器部分に、特許文献１または特許文献２に示されている３重モードの誘電体共振器を適用すれば、誘電体共振器の使用個数が削減できる。しかしながら、発振器に使用しない３つ目の共振モードが存在するため、所望の共振周波数の近傍に不要な結合モードが発生して、実用的なものとはならない。
【００１３】
この発明の目的は、製造が容易で、低コストに構成できるＴＥ０１δモードを２重化した誘電体共振素子、およびその利用装置を提供することにある。
【００１４】
また、この発明の他の目的は、４段以上の共振器からなるフィルタを構成する場合にも、マルチカップリングの問題を回避できるようにした、誘電体共振素子、およびその利用装置を提供することにある。
【００１５】
さらに、この発明の他の目的は、不要な結合モードの発生による不具合の生じない、２周波の発振器装置に利用可能な誘電体共振素子およびその利用装置を提供することにある。
【００１６】
【課題を解決するための手段】
この発明の誘電体共振素子は、それぞれ略正方形板状の第１・第２の平板部分が、それぞれの一辺に略平行な中心線同士を共有して交差したような形状に、誘電体材を一体的に形成してなり、第１・第２の平板部分で、該平板部分の面内方向に電界ベクトルが回るＴＥ０１δモードの電磁界をそれぞれ生じさせるようにしたものである。ここで、「中心線同士を共有して交差した」とは、第１と第２の平板部分が交差している交差部内のいずれかの位置を各中心線が通るように、第１と第２の平板部分の関係があることを意味する。
【００１７】
このような構造により、外面を平面を主体とした形状とし、その製造を容易とする。しかもＴＥ０１δの２重モード共振器として利用できるようにし、前述のマルチカップリングの問題を回避する。
【００１８】
また、この発明の誘電体共振素子は、前記第１・第２の平板部分の交差角度を９０°以外の角度にしたことを特徴とする。これにより、２つのＴＥ０１δモードが所定の結合度で結合した２段の共振器装置として作用する。
【００１９】
また、この発明の誘電体共振素子は、前記第１・第２の平板部分の厚み寸法を互いに異ならせたことを特徴とする。この構造により、２つのＴＥ０１δモードの共振器の共振周波数に差を生じさせる。
【００２０】
また、この発明の誘電体共振素子は、前記第１・第２の平板部分の形状を互いに異ならせたことを特徴とする。この構造により、２つのＴＥ０１δモードの共振器の共振周波数に差を生じさせる。
【００２１】
また、この発明の誘電体共振素子は、前記第１・第２の平板部分の角を面取り形状または丸みを持たせた形状にしたことを特徴とする。この構造により、ＴＥ０１δモードの共振周波数を殆ど変化させることなく、その他のＴＭモードなどの不要な共振モードの共振周波数を高周波側にシフトさせ、使用周波数帯から遠ざける。このことにより、不要モードの影響による共振器のＱｕの低下を防止する。
【００２２】
また、この発明の誘電体共振素子は、前記第１・第２のいずれか一方の平板部分に、または前記第１・第２の両方の平板部分に、部分的な穴を設けたことを特徴とする。この構造により、平板部分の実効誘電率を下げ、２つのＴＥ０１δモードの共振周波数を定める。
【００２３】
また、この発明の誘電体共振素子は、前記第１・第２の平板部分の一方の面交差部から、中心線を挟んで対向する他方の面交差部への方向に、穴または貫通孔を形成したことを特徴とする。この構造により、２つのＴＥ０１δモードの共振周波数に対してＴＭモードなどの他の不要な共振モードの共振周波数を相対的に高周波発生側にシフトさせてＱｕの低下を防止する。
【００２４】
また、この発明の誘電体共振素子は、前記第１・第２の平板部分の面交差部に、前記中心線へ向かう括れを形成したことを特徴とする。この構造により、直交する２つのＴＥ０１δモードを結合させ、括れの大きさによりその結合量を調整可能とする。
【００２５】
また、この発明の誘電体共振素子は、前記第１・第２の平板部分の面交差部に、前記中心線から離れる方向に突出する突出部を形成したことを特徴とする。この構造により、直交する２つのＴＥ０１δモードを結合させ、突出部の大きさによりその結合量を調整可能とする。
【００２６】
また、この発明の誘電体共振素子は、前記中心線に略直角な面である、前記第１・第２の平板部分のそれぞれの一方の側面に前記誘電体材より低誘電率の材料からなる支持台を接合したことを特徴とする。この構造により、キャビティ内に納めた状態で、キャビティの導体面から離れて、導体損の発生を抑制する。また、ＴＭモードなどの不要な共振モードが生じることによる悪影響を抑制する。また、２つのＴＥ０１δモードへの影響を等しくして、設計を容易にする。
【００２７】
また、この発明の誘電体共振素子は、前記中心線に略平行な面である、前記第１・第２のいずれか一方の平板部分の一方の側面に、前記誘電体材より低誘電率の材料からなる支持台を接合したことを特徴とする。この構造により、キャビティ内に納めた状態で、キャビティの導体面から離れて、導体損の発生を抑制する。また、ＴＭモードなどの不要な共振モードが生じることによる悪影響を抑制する。
【００２８】
また、この発明の誘電体共振器は、上記誘電体共振素子と誘電体共振素子を収納するキャビティとから構成したことを特徴とする。この構造により、ＴＥ０１δ２重モードの誘電体共振素子から外部への電磁界の漏れおよび外部回路との不要な結合を防止して、特性の安定化を図る。
【００２９】
また、この発明のフィルタは、上記キャビテイ内に、該キャビテイ内の誘電体共振素子の所定の共振モードに結合する入出力結合手段を設けて構成したことを特徴とする。この構造により、選択性に優れたフィルタ特性を得る。
【００３０】
また、この発明のフィルタは、前記誘電体共振素子の前記第１・第２の平板部分を前記キャビテイの内壁面に非平行に配置して構成したことを特徴とする。この構造により、隣接共振器間の結合のためのループや伝送線路を不要として損失の低減化、生産性の向上化、および低コスト化を図る。
【００３１】
また、この発明のフィルタは、複数の前記誘電体共振素子の前記第１・第２の平板部分のいずれか一方の平板部分同士が略同一平面を共有し、且つ前記中心線がキャビティの上下面に対して平行に向くように、当該複数の誘電体共振素子を配置したことを特徴とする。この構造により、不要なＴＭ１１０モードの伝搬を阻止する。
【００３２】
また、この発明のフィルタは、前記中心線がキャビティの上下面に対して平行に向くように配置した誘電体共振素子と、前記中心線がキャビティの上下面に対して垂直に向くように配置した誘電体共振素子とを組み合わせたことを特徴とする。この構造により、不要なＴＭ１１０モードの伝搬を阻止するとともに、多段化を図る。
【００３３】
また、この発明は、前記中心線がキャビティの上下面に対して平行に向くように配置した誘電体共振素子に、ＴＥ０１δシングルモード共振器やＴＥＭ半同軸空洞共振器などの単一モードの共振素子を組み合わせたことを特徴とする。この構造により、不要なＴＭ１１０モードの伝搬を阻止する。
【００３４】
また、この発明の発振器装置は、線路と、該線路の端部に接続した能動素子と、前記線路に対してその途中で結合する誘電体共振素子とからなる発振器を２組設けた発振器装置において、前記線路および能動素子を形成した基板上に、上記のいずれかに記載の誘電体共振素子を載置するとともに、該誘電体共振素子の２つのＴＥ０１δモード間に生じる２つの結合モードである、奇モードと偶モードの磁界を、前記２つの線路にそれぞれ結合させたことを特徴とする。この構造により、単一の誘電体共振素子を用いて、小型化を図りつつ２周波の発振信号を出力する発振器装置を構成する。
【００３５】
また、この発明の発振器装置は、線路と、該線路の端部に接続した能動素子と、前記線路に対してその途中で結合する誘電体共振素子とからなる発振器を２組設けた発振器装置において、基板上に上記２組の発振器の線路同士を略平行に配置し、誘電体共振素子として作用する誘電体材の中心線が基板に平行となるように該誘電体共振素子を配置し、誘電体共振素子の奇モードと偶モードの磁界を、２組の発振器の線路にそれぞれ結合させたことを特徴とする。この構造により、基板上へ線路および発振器全体の配置を容易にする。
【００３６】
また、この発明の通信装置は、前記誘電体共振器、フィルタ、または発振器装置を備えて構成したことを特徴とする。これにより、小型軽量で、電力効率の高い、高感度な通信性能を備えた通信装置を構成する。
【００３７】
【発明の実施の形態】
第１の実施形態に係る誘電体共振素子の構成を図１を参照して説明する。
図１において、（Ａ）〜（Ｃ）は誘電体共振素子の三面図であり、（Ａ）は上面図、（Ｂ）は正面図、（Ｃ）は右側面図である。また（Ｄ）は、誘電体共振素子の斜視図である。
【００３８】
この誘電体共振素子は、それぞれ略正方形板状の第１の平板部分１ａと、第２の平板部分１ｂとが、それぞれの一辺に略平行な中心線（（Ｄ）における一点鎖線）ＣＬ同士を共有して交差したような形状に、誘電体材を一体成形したものである。この例では、第１・第２の平板部分の交差角を９０°としている。
【００３９】
ここで、中心線ＣＬは、第１の平板部分１ａの一辺（例えばＬａ）に平行な中心線であり、第２の平板部分１ｂの一辺（例えばＬｂ）に平行な中心線でもある。しかし本願発明は、このような２つの中心線が完全に一致する構造に限らず、第１と第２の平板部分のそれぞれの中心線が、第１と第２の平板部分の交差部（上部から見たとき中央で正方形になる範囲）内に存在していればよい。
【００４０】
第１の平板部分１ａが、上記中心線ＣＬに対して直角方向に延びる軸をＸ軸、第２の平板部分１ｂが延びる軸をＹ軸とする。
【００４１】
第１の平板部分には、（Ｃ）の矢印に示すように、その面内方向に電界ベクトルが回るＴＥ０１δｙモードの共振モードが生じる。同様に、第２の平板部分１ｂには、（Ｂ）に示すように、その面内方向に電界ベクトルが回るＴＥ０１δｘモードの共振モードが生じる。この例では、第１・第２の平板部分が直交しているので、上記２つのＴＥ０１δモードが直交して互いに結合しない。したがって、２つの独立した共振器として利用可能な誘電体共振素子として作用する。
【００４２】
この誘電体共振素子は、全体が平面を主体とする形状であること、上記中心線方向に延びる柱状を成していること、により、誘電体材料の一体成形が容易であり、製造コストが削減できる。また、３つ目の共振モードの生じる空間がないため、３つ目の共振モードとの不要なマルチカップリングが発生することもない。
【００４３】
なお、図１において、一点鎖線で示したような誘電体共振素子の中心線ＣＬは、以降の実施形態で参照する図には、それらの図の煩雑化を避けるために、必要な場合以外は図示しない。
【００４４】
図２は、第２の実施形態に係る誘電体共振素子の構成を示す図である。ここで、（Ａ）は上面図、（Ｂ）は正面図、（Ｃ）は右側面図である。図１に示した例と異なり、この例では、第１の平板部分１ａと、第２の平板部分１ｂとの交差角を９０°以外の角度としている。この構造により、第２の平板部分１ｂの面内方向に生じるＴＥ０１δｘモードの電界ベクトルに、第１の平板部分１ａの面内方向の成分が生じて、ＴＥ０１δｘモードとＴＥ０１δｙモードとが結合する。そして、第１・第２の平板部分１ａ，１ｂの交差角が９０°からずれる程、両モードの結合度は大きくなる。
【００４５】
なお、第１の平板部分１ａがＸ軸方向を向くものとすれば、第２の平板部分１ｂの延びる向きはＹ軸からずれることになるので、この第２の平板部分１ｂの面内方向に電界ベクトルが回る共振モードは、厳密にはＴＥ０１δｘモードでなく、擬似ＴＥ０１δｘモードと呼ぶことのできる共振モードである。
【００４６】
図３は、第３の実施形態に係る誘電体共振素子の構成を示す図である。図１に示した例では、第１・第２の平板部分１ａ，１ｂの厚み寸法を等しくしたが、この図３の示す例では、第１の平板部分１ａの厚み寸法ａを、第２の平板部分１ｂの厚み寸法より大きくしている。この構造により、第１の平板部分１ａの面内方向に電界ベクトルが回るＴＥ０１δｙモードの共振周波数が、第２の平板部分１ｂの面内方向に電界ベクトルが回るＴＥ０１δｘモードの共振周波数より低くなる。すなわち、共振周波数の異なった２つの独立した共振器として作用する。
【００４７】
この構造は、たとえばフィルタを構成する際に、結合ループなどの入出力結合手段を設けた際に、その入出力手段の影響で、共振空間の縮小化による共振周波数の上昇を補正するために利用できる。
【００４８】
図４は、第４の実施形態に係る誘電体共振素子の構成を示す図である。図１に示した例では、第１・第２の平板部分１ａ，１ｂの形状および寸法を略等しくしたが、この図４に示す例では、第２の平板部分１ｂを、第１の平板部分１ａより一回り小さく形成している。これにより、第１の平板部分の１ａに生じるＴＥ０１δｙモードの共振周波数より、第２の平板部分１ｂに生じるＴＥ０１δｘモードの共振周波数を高くすることができる。すなわち、共振周波数の異なった独立した２つの共振器として作用する。
【００４９】
この構造も、例えばフィルタを構成する際に、結合ループなどの入出力結合手段の影響による共振周波数の上昇を補正するために利用できる。
【００５０】
図５は、第５の実施形態に係る誘電体共振素子の構成を示す図である。（Ａ）は上面図、（Ｂ）正面図、（Ｃ）は右側面図、（Ｄ）は斜視図である。
この誘電体共振素子は、図１に示した構造の第１・第２の平板部分１ａ，１ｂの四隅部分を面取り形状にしたものに等しい。このような面取り構造により、Ｘ軸方向またはＹ軸方向に電界ベクトルが向くＴＭ１１０ｘモードまたはＴＭ１１０ｙモードの共振周波数が高周波側にシフトする。これにより、これらの不要モードの共振周波数が、使用するＴＥ０１δｘモードまたはＴＥ０１δｙモードの共振周波数から影響のない周波数へ離れて、Ｑｕの低下が防止できる。
【００５１】
図６は、第６の実施形態に係る誘電体共振素子の構成を示す斜視図である。全体の外形形状は、図１に示したものと同様である。但し、この図６に示す例では、第１・第２の平板部分１ａ，１ｂの所定個所に穴を形成している。Ｈａ１は第１の平板部分１ａの上面に形成した穴、Ｈａ２はその側面に形成した穴である。また、Ｈｂ１は第２の平板部分１ｂの上面に形成した穴、Ｈｂ２はその側面に形成した穴である。
【００５２】
このように平板部分の誘電体を部分的に除去することによって、平板部分の面内方向に電界ベクトルが回るＴＥ０１δモードの共振周波数を上昇方向に変移させることができる。したがって、穴を深くする程、また穴の内径を大きくする程、ＴＥ０１δモードの共振周波数を高く設定できる。
【００５３】
上記穴に誘電体棒を挿抜するように構成すれば、共振周波数を上昇・下降両方向に微調整することも可能となる。したがって、共振器やフィルタとして、この誘電体共振素子を組み込んだ後に、その特性調整を行うことも可能となる。
【００５４】
図６において、穴Ｈａ１，Ｈｂ１は、この誘電体共振素子の底面にまで貫通していてもよい。また、穴Ｈａ２，Ｈｂ２はそれぞれの対向する側面にまで貫通していてもよい。
【００５５】
なお、上記穴は、誘電体板部分の面方向に延びる穴であるので、その誘電体板に直交する他方の誘電体板部分に生じるＴＥ０１δモードに影響を与えない。そのため、２つのＴＥ０１δモードの共振周波数は独立して調整できる。
【００５６】
図７は、第７の実施形態に係る誘電体共振素子の構成を示す斜視図である。
この例では、第１・第２の平板部分１ａ，１ｂの一方の面交差部から、図中の一点鎖線で示す中心線を挟んで対向する他方の面交差部方向へ貫通する孔Ｈｏを形成している。
【００５７】
誘電体共振素子の中央部は、２つの平板部分に生じるＴＥ０１δモードのそれぞれの電界成分の少ない領域であり、且つＸ軸方向に電界が向くＴＭ１１０ｘモード、Ｙ軸方向に電界が向くＴＭ１１０ｙモード、Ｚ軸方向に電界が向くＴＭ１１０ｚモード、の電界成分の高い領域である。この誘電体共振素子の中央部に孔を形成したことにより、上記２つのＴＥ０１δモードの共振周波数に影響を与えることなく、上記３つのＴＭ１１０モードの共振周波数を、使用周波数帯にとって影響のない高周波側にシフトさせることができる。
【００５８】
次に、第８の実施形態として、２つのＴＥ０１δモードの結合の仕方と結合モードについて、図８を参照して説明する。
図８の（Ａ）は、ＴＥ０１δ（＋ｙ）モード、ＴＥ０１δ（＋ｘ）モード、およびその両者の合成モードである偶モードについて示している。また（Ｂ）は、ＴＥ０１δ（ｙ）モード、ＴＥ０１δ（−ｘ）モード、およびその合成モードである奇モードについて示している。第１・第２の平板部分１ａ、１ｂの形状および寸法が等しければ、ＴＥ０１δｘモードとＴＥ０１δｙモードの共振周波数は等しく、したがって、その偶モードと奇モードの周波数も等しくなる。そこで、第１・第２の平板部分の面交差部に、中心線へ向かう括れＤを形成すれば、偶モードと奇モードの対称性が崩れるので、偶モードと奇モードの周波数に差を持たせることができる。
【００５９】
図９は、上記括れとは異なった他の形状の括れを備えた誘電体共振素子の斜視図である。
（Ａ）に示す例では、第１・第２の平板部分１ａ，１ｂの面交差部に、中心線へ向かう、幅一定の溝形状の括れＤを形成している。このような括れの断面形状は、図９の（Ｂ），（Ｃ）に示すように任意である。また、図９の（Ｄ）に示すように、括れＤは、中心線に平行な方向に必ずしも延びている必要はなく、部分的に形成されたものでもよい。
【００６０】
図１０は、第９の実施形態に係る、２つのＴＥ０１δモードの結合構造および結合モード（偶モード，奇モード）の共振周波数を異ならせるための他の構造について示している。
図８および図９に示した例では、２つの平板部分の面交差部に括れを形成したが、この図１０では、逆に、２つの面交差部に、中心線から離れる方向に突出する突出部Ｐを形成している。このような突出部Ｐの存在によって、前述の偶モードと奇モードの共振周波数に差が生じ、ＴＥ０１δｘモードとＴＥ０１δｙモードとを結合させることができる。また、周波数の異なった偶モードと奇モードを利用できるようになる。
【００６１】
次に、誘電体共振素子の取付構造について示す。
図１１は、以上に示した各種形状の誘電体共振素子をキャビティ内などに取り付けられるようにした、第１０の実施形態に係る誘電体共振器ユニットの構成について示している。（Ａ）に示す例では、中心線Ｏに直角な面である、第１・第２の平板部分１ａ，１ｂのそれぞれの一方の側面に、支持台２を接合している。この支持台２の誘電率は、第１・第２の平板部分１ａ，１ｂの誘電率より低い。このことによって、支持台２が共振素子の共振モードに与える影響を小さくしている。
【００６２】
図に示すように、この支持台２の四隅をキャビティの内底面にネジ留固定することによって、誘電体共振器ユニット全体を、キャビティ内に容易に取り付けることができる。
【００６３】
図１１の（Ｂ）に示す例は、第１・第２の平板部分１ａ，１ｂの側面に対する接合面積を小さくした円柱形状の支持台２を設けたものである。この構造により、支持台２が共振モードに与える影響を抑えることができる。（Ｂ）に示す例では、支持台２の底面をキャビティの内底面などに接着することによって、誘電体共振素子をキャビティ内の所定位置に支持する。
【００６４】
図１２は、第１１の実施形態に係る誘電体共振器ユニットの構成を示す図である。この例では、第２の平板部分１ｂの一方の側面に支持台２を接合している。後述するように、図１２に示す支持構造で、誘電体共振素子の偶モードと奇モードを基板上の２つの線路にそれぞれ磁界結合させることができる。
【００６５】
なお、図１１および図１２に示した例では、２つの共振モード間の結合のための括れや突出部、周波数調整のための孔などについては示していない。
【００６６】
次に、第１２の実施形態に係るフィルタの構成について、図１３を参照して説明する。
フィルタは、以上に示した各種誘電体共振素子をキャビティ内に収納するとともに、所定の共振モードに結合する入出力結合手段を設けることによって構成する。
【００６７】
図１３の（Ａ）は、キャビティの上蓋３ｔを取り除いた状態での上面図、（Ｂ）は（Ａ）におけるＡ−Ａ部分の断面図である。図１３において、３ｂはキャビティの底板、３ｗはキャビティの側壁である。キャビティの底板３ｂに、図１１の（Ａ）に示した構造の誘電体共振器ユニットをネジ留固定する。
【００６８】
４ａ，４ｂは同軸コネクタであり、その中心導体とキャビティ側壁３ｗとの間に結合ループ５ａ，５ｂをそれぞれ設けている。結合ループ５ａは、図８に示したように、ＴＥ０１δｘモードの磁界と結合する。同様に、結合ループ５ｂはＴＥ０１δｙモードと磁界結合する。この誘電体共振素子には、括れＤを形成しているので、ＴＥ０１δｘモードとＴＥ０１δｙモードとが結合する。したがって、このフィルタは、２段の共振器が結合してなる、帯域通過特性を示すフィルタとして作用する。
【００６９】
図１３に示したキャビティの底板３ｂ、側壁３ｗ、上蓋３ｄは、それぞれＡｌ等の金属のダイキャストで作成するか、セラミックや樹脂に導電性被膜を施すことによって作成する。
【００７０】
図１４は、第１３の実施形態に係る、３つの誘電体共振素子を用いたフィルタの構成を示す図である。（Ａ）は、キャビティの上蓋３ｔを取り除いた状態での上面図、（Ｂ）は（Ａ）におけるＡ−Ａ部分の断面図である。ここで、１０ａ，１０ｂ，１０ｃは、それぞれ支持台に誘電体共振素子を取り付けてなる誘電体共振器ユニットである。この例では、各誘電体共振素子の平板部分１ａ，１ｂの向きが、誘電体共振器ユニット１０ａ，１０ｂ，１０ｃの配列方向に対して、４５°を成すように配置している。また、隣接する誘電体共振器ユニットの間に部分的な側壁３ｗ’を設けている。この側壁の開口部分が、隣接する誘電体共振器ユニットの所定の共振器間を結合させる結合窓ｃｗとして作用する。
【００７１】
上記結合窓ｃｗ部分で、誘電体共振器ユニット１０ａの平板部分１ａによるＴＥ０１δｙモードと、誘電体共振器ユニット１０ｂの平板部分１ｂによるＴＥ０１δｘモードとが磁界結合する。また、誘電体共振器ユニット１０ｂの平板部分１ａによるＴＥ０１δｙモードと、誘電体共振器ユニット１０ｃの平板部分１ｂによるＴＥ０１δｘモードとが磁界結合する。したがって、合計６段の共振器が順に結合した、帯域通過特性を示すフィルタとして作用する。
【００７２】
図１５は、第１４の実施形態に係る、３つの誘電体共振器ユニットを用いたフィルタの構成を示す図である。この例では、第１の平板部分１ａが互いに平行となり、且つ、第２の平板部分１ｂが同一面方向を向くように３つの誘電体共振器ユニット１０ａ，１０ｂ，１０ｃを配置している。また、誘電体共振器ユニット１０ａと１０ｂとの間に、キャビティの側壁部分で結合窓ｃｗを形成している。この結合窓ｃｗで、誘電体共振器ユニット１０ａ，１０ｂのそれぞれの平板部分１ｂによるＴＥ０１δｘモード同士が磁界結合する。
【００７３】
キャビティ内には、誘電体共振器ユニット１０ｂ，１０ｃのそれぞれの第１の平板部分１ａによるＴＥ０１δｙモードに磁界結合する結合ループ６を設けている。この２つの結合ループ６の間を線路１１で接続している。また、同軸コネクタ４ａの結合ループ５ａは、誘電体共振器ユニット１０ａの第１の平板部分１ａによるＴＥ０１δｙモードに磁界結合をするように配置している。同軸コネクタ４ｂの結合ループ５ｂは、誘電体共振器ユニット１０ｃの第２の平板部分１ｂによるＴＥ０１δｘモードに磁界結合するように配置している。
【００７４】
このような構造により、合計６段の共振器が順に結合した、帯域通過特性を示すフィルタとして作用する。
【００７５】
図１６は、第１５の実施形態に係る、誘電体共振器ユニットを用いたフィルタの構成を示す図である。図１６の（Ａ）は、（Ｂ）におけるＢ−Ｂ部分の断面図、（Ｂ）は、（Ａ）におけるＡ−Ａの断面図である。図中の３は、３つの通り抜け空間を構成するキャビティ本体、３ｗは、キャビティ本体３の開口部を両側から覆うキャビティの側壁である。
【００７６】
図１６における３つの誘電体共振器ユニット１０ａ，１０ｂ，１０ｃ、結合窓ｃｗ、結合ループ５ａ，５ｂ，６、の相対的な位置関係は、図１５に示したものと等価である。このように、誘電体共振素子の第１・第２の平板部分のうち、いずれか一方の平板部分の側面に支持台２を接合したものについても、その支持台２をキャビティ本体３に取り付けることによって、電気的には、図１５に示したものと同様のフィルタが得られる。
【００７７】
次に、第１６の実施形態に係るフィルタの構成を図１７および図１８を参照して説明する。
図１７は、ＴＭ１１０ｚモードの電磁界分布の例を示している。図１７の（Ａ）は、キャビティ内における誘電体共振素子の上面図、（Ｂ）は、（Ａ）におけるＡ−Ａ部分から見た正面図である。ここではキャビティを、その壁面のみで示している。
【００７８】
図１７において、実線の矢印は、ｚ軸方向を向く電界ベクトルを示している。また、破線の矢印は、ｚ軸に垂直な面（ｘ−ｙ面）に沿って周回する磁界ベクトルを示している。
【００７９】
このＴＭ１１０ｚモードは、積極的に使用するＴＥ０１δモードよりも磁界の広がりが大きい。そのため、隣接する共振器がＴＭ１１０ｚモードで結合しやすく、ＴＭ１１０ｚモードが伝搬されやすい。もし、ＴＭ１１０ｚモードがＴＥ０１δモードの周波数から充分に離れていない場合には、ＴＭ１１０ｚモードの影響を受けて、フィルタの減衰域に影響がでる場合も生じる。
【００８０】
図１８は、上述の問題を解消した構造のフィルタを示している。図１８の（Ａ）は、キャビティの上蓋３ｄを取り除いた状態での上面図、（Ｂ）は、（Ａ）におけるＡ−Ａ部分の断面図である。図１８において、３ｂはキャビティの底板、３ｗはキャビティの側壁である。キャビティの底板３ｂには、図１１および図１２に示した構造の誘電体共振器ユニット１０ａ〜１０ｄをネジ留固定している。但し、この例では、誘電体共振器ユニット１０ａ，１０ｂ，１０ｄについては、誘電体共振素子を構成する第１・第２の平板部分のうち、一方の平板部分の四隅を面取り形状にしている。
【００８１】
この３つの誘電体共振器ユニット１０ａ，１０ｂ，１０ｄは、各誘電体共振素子を構成する２つの平板部分の中心線がキャビティの底板３ｂおよび上蓋３ｔに平行に配置している。誘電体共振器ユニット１０ｃは、上記中心線をキャビティの底板３ｂおよび上蓋３ｔに垂直方向に配置している。
【００８２】
キャビティの側壁３ｗには、図１８の（Ａ）に示すように、誘電体共振器ユニット１０ａと１０ｂとの間、１０ｂと１０ｃとの間、１０ｃと１０ｄとの間、にそれぞれ結合窓ｃｗを形成している。各誘電体共振器ユニットの誘電体共振素子の各平板部分に付した（１）〜（８）の番号は、その平板部分による共振器が何段目の共振器であるかの序数を示している。１段目と２段目、３段目と４段目、５段目と６段目、７段目と８段目は、各誘電体共振素子に形成した括れ部によって結合する。２段目と３段目、４段目と５段目、６段目と７段目は、それぞれ結合窓ｃｗを介して磁界結合する。また、１段目の共振器（１）は結合ループ５ａに結合し、８段目の共振器（８）は結合ループ５ｂに結合する。
【００８３】
誘電体共振器ユニット１０ｃで発生するＴＭ１１０ｚモードは、隣接する共振器ユニット１０ｂ，１０ｄへは伝搬できない。誘電体共振器ユニット１０ｂ，１０ｄにおいてもＴＭ１１０ｚモードを発生するが、１０ｃと比較して、ｚ方向の実効誘電率が低いため、誘電体共振器ユニット１０ｂ，１０ｄにおけるＴＭ１１０ｚモードの周波数は、１０ｃにおけるＴＭ１１０ｚモードの周波数に比較して１．３倍以上高くなる。そのため、ＴＭ１１０ｚモードの結合が抑えられる。その結果、誘電体共振器ユニット１０ｃで発生するＴＭ１１０ｚモードの周波数が、利用するＴＥ０１δモードの周波数に近接していても、フィルタの減衰域特性に悪影響がでることがない。
【００８４】
図１８に示した例では、すべての誘電体共振器ユニット１０ａ〜１０ｄをキャビティの底板３ｂに取り付けたが、図１１に示した構造の誘電体共振器ユニットを用い、誘電体共振器ユニット１０ａ，１０ｂ，１０ｄについては、キャビティの側壁に、その支持台をネジ留め固定するようにしてもよい。その構造によれば、誘電体共振器ユニット１０ａ，１０ｂ，１０ｄでは、誘電体共振素子の上下に空気層が介在することなるため、ＴＭ１１０ｚモードの周波数がさらに高まり、ＴＭ１１０ｚモードの伝搬がさらに抑制できる。
【００８５】
図１９は、第１７の実施形態に係るフィルタの構成を示す図である。図１９の（Ａ）は、キャビティの上蓋３ｄを取り除いた状態での上面図、（Ｂ）は、（Ａ）におけるＡ−Ａ部分の断面図である。図１９において、３ｂはキャビティの底板、３ｗはキャビティの側壁である。この例では、誘電体共振器ユニット１０ａ，１０ｄとして、円柱形状の誘電体共振器１′による、一般的なＴＥ０１δシングルモードの共振器を構成している。キャビティの側壁３ｗには、誘電体共振器ユニット１０ａと１０ｂ、１０ｂと１０ｃ、１０ｃと１０ｄの間に結合窓ｃｗを形成している。このように、ＴＥ０１δシングルモードの共振器を含めてフィルタを構成することによって、ＴＭ１１０ｚモードの伝搬をさらに抑えることができる。
【００８６】
図１９に示した例で、シングルモードの共振器として、ＴＥＭ半同軸空胴共振器を設けてもよい。そのことによっても、ＴＭ１１０ｚモードの伝搬が抑制される。
【００８７】
なお、図１８および図１９に示した例では、誘電体共振素子の支持台をキャビティの底板に直接取り付けたが、その支持台とキャビティの底板との間にワッシャなどのスペーサを入れ、空気層を設けることによって、ＴＭ１１０ｚモードの周波数を高めることができる。これにより、利用するＴＥ０１δモードの周波数よりさらに遠ざけることが可能となる。
【００８８】
次に、第１８の実施形態に係る発振器装置の構成を、図２０，図２１，図２３，図２４を参照して説明する。
図２０は、基板上に構成した発振器装置の外観斜視図である。基板２５の上面には線路２１ｂ〜２４ｂ，２１ｃ〜２４ｃをそれぞれ形成している。また、基板２５の上面には、ＦＥＴｂ，ＦＥＴｃ、チップ抵抗Ｒ１ｂ，Ｒ２ｂ，Ｒ１ｃ，Ｒ２ｃ、チップコンデンサＣ１ｂ，Ｃ１ｃをそれぞれ実装している。さらに、基板２５の上面には、誘電体共振素子１を支持台を介して取り付けている。
【００８９】
図２１は、図２０に示した発振器装置のうち、１組の発振器部分の等価回路図である。図２１の符号は、図２０に示した符号に対応している。線路２１の端部は抵抗Ｒ１で終端していて、もう一方の端部にＦＥＴのゲートを接続している。ＦＥＴのドレインには、線路２２とコンデンサＣ１によるバイアス電圧印加回路を接続している。Ｖｂはバイアス電圧を示している。ＦＥＴのソースには、抵抗Ｒ２と線路２４を介して接地している。ＦＥＴのドレインには、スタブとしての線路２３を接続している。そして、ＦＥＴのソースからコンデンサＣ２を介して発振信号を取り出すようにしている。
誘電体共振素子１は、線路２１の所定位置に結合させている。これにより、全体に帯域反射型発振回路を構成している。
【００９０】
図２０に示した発振器装置は、図２１に示した発振器を２組備えたものである。但し、単一の誘電体共振素子１を基板２５上に実装し、その実装位置を中心として、回路を点対称に配置している。誘電体共振素子１は、図８に示した括れＤを突出部に代えた構造の誘電体共振素子である。すなわち、誘電体共振素子１は、図８に示したものと同様に、共振周波数の異なった、ＴＥ０１δ（ｙ＋ｘ）モードと、ＴＥ０１δ（ｙ−ｘ）モードの２つの共振器として作用し、それぞれ線路２１ｂ，２１ｃに独立して結合する。その結果、この発振器装置は、単一の誘電体共振素子を用いながらも、周波数の異なった２つの発振信号を出力する２周波発振器装置として作用する。
【００９１】
図２３は上記誘電体共振素子の共振モードと２つの線路との位置関係について示している。この例では、基板上に上記２組の発振器の線路同士を略平行に配置し、誘電体共振素子１として作用する誘電体材の中心線（交差する２つの平板部分が共有する中心線）が基板に平行となるように該誘電体共振素子１を配置している。図２３の（Ａ）は偶モード、（Ｂ）は奇モードの電磁界分布をそれぞれ示している。このように、線路２１ｃは偶モードの磁界に選択的に結合し、線路２１ｂは奇モードの磁界に選択的に結合する。
【００９２】
このように、誘電体共振素子として作用する誘電体材の中心線が基板に平行となるように誘電体共振素子１を配置したことにより、２つの線路２１ｂ，２１ｃを基板上に平行に配置することができ、基板への発振器全体の配置が極めて容易となり、全体により小型化できる。
【００９３】
因みに、図２４は、上記中心線に直角な面に低誘電率の支持台を接合して、その支持台を介して誘電体共振素子を基板上に配置した例、すなわち上記中心線が基板に垂直となるように、誘電体共振素子を配置した例である。図２４の（Ａ），（Ｂ）はいずれも上面図である。この場合、線路を電界面と平行に配置する必要がある。線路２１ｂ′を偶モードと結合させるためには（Ａ）のように、偶モードの電界面に平行に線路２１ｂ′を配置し、線路２１ｃ′を奇モードと結合させるためには（Ｂ）のように、奇モードの電界面に平行に線路２１ｃ′を配置することになる。その結果、２つの線路２１ｂ′，２１ｃ′を互いに直交する向きに配置することになり、回路の配置は複雑となる。
【００９４】
次に、第１９の実施形態に係る通信装置の、特にコンバータ部分の構成を、図２２を参照して説明する。このコンバータは、放送衛星（ＢＳ）および通信衛星（ＣＳ）から送信される電波を受信して、それぞれを中間周波信号に変換するコンバータである。図２２において、ＡＮＴはＢＳ・ＣＳ兼用アンテナの受信プローブである。ＬＮＡａ，ＬＮＡｂはそれぞれローノイズアンプであり、ＡＮＴからのＢＳ受信・ＣＳ受信信号をそれぞれ増幅する。ＢＰＦｂ、ＢＰＦｃはそれぞれバンドパスフィルタであり、ＬＮＡｂ，ＬＮＡｃで増幅された信号のうち、必要周波数帯域の信号のみを通過させる。
【００９５】
ＯＳＣｂ，ＯＳＣｃは、図２１に示した発振器であり、ＢＳ用ローカル信号とＣＳ用ローカル信号をそれぞれ発生する。この２組の発振器は、図２０に示したように単一の発振器装置として構成している。
【００９６】
ＭＩＸｂ，ＭＩＸｃはミキサであり、上記ローカル信号と受信信号とをミキシングして、それぞれの中間周波信号を出力する。ＡＭＰは、その中間周波信号を増幅して後段の受信回路へ出力する。
【００９７】
【発明の効果】
この発明によれば、誘電体材の外面が平面を主体とした形状となり、その製造が容易となる。しかもＴＥ０１δの２重モード共振器として利用できるようになり、マルチカップリングが発生せず、それによる不要な周波数応答が生じることもない。
【００９８】
また、この発明によれば、第１・第２の平板部分の交差角度を９０°以外の角度にしたことにより、２つのＴＥ０１δモード共振器が結合した２段の共振器装置として作用し、Ｑｕを犠牲にすることなく、全体に小型化が図れる。
【００９９】
また、この発明によれば、第１・第２の平板部分の厚み寸法を互いに異ならせたことにより、共振周波数の異なった２つのＴＥ０１δモード共振器として利用可能となる。
【０１００】
また、この発明によれば、第１・第２の平板部分の形状を互いに異ならせたことにより、共振周波数の異なった２つのＴＥ０１δモード共振器として利用可能となる。
【０１０１】
また、この発明によれば、第１・第２の平板部分の角を面取り形状または丸みを持たせた形状にしたことにより、ＴＥ０１δモードの共振周波数が殆ど変化することなく、その他のＴＭモードなどの不要な共振モードの共振周波数が高周波側にシフトし、使用周波数帯から遠ざかる。このことにより、不要モードの影響による共振器のＱｕの低下が防止できる。
【０１０２】
また、この発明によれば、第１・第２のいずれか一方の平板部分に、または前記第１・第２の両方の平板部分に、部分的な穴を設けたことにより、２つのＴＥ０１δモードの共振周波数がそれぞれ定められるようになる。
【０１０３】
また、この発明によれば、第１・第２の平板部分の一方の面交差部から、中心線を挟んで対向する他方の面交差部への方向に、穴または貫通孔を形成したことにより、２つのＴＥ０１δモードの共振周波数に対してＴＭモードなどの他の不要な共振モードの共振周波数を相対的に高周波発生側にシフトさせてＱｕの低下を防止することができる。
【０１０４】
また、この発明によれば、第１・第２の平板部分の面交差部に、中心線へ向かう括れを形成したことにより、直交する２つのＴＥ０１δモードが結合し、括れの大きさによりその結合量が調整可能となる。
【０１０５】
また、この発明によれば、第１・第２の平板部分の面交差部に、中心線から離れる方向に突出する突出部を形成したことにより、直交する２つのＴＥ０１δモードが結合し、突出部の大きさによりその結合量の調整が可能となる。
【０１０６】
また、この発明によれば、中心線に略直角な面である、第１・第２の平板部分のそれぞれの一方の側面に誘電体材より低誘電率の材料からなる支持台を接合したことにより、キャビティ内に納めた状態で、キャビティの導体面から離れて、導体損の発生が抑制できる。また、ＴＭモードなどの不要な共振モードが生じることによる悪影響が抑制できる。さらに、２つのＴＥ０１δモードへの影響が等しくなり、設計を容易にすることができる。
【０１０７】
また、この発明によれば、中心線に略平行な面である、第１・第２のいずれか一方の平板部分の一方の側面に、誘電体材より低誘電率の材料からなる支持台を接合したことにより、キャビティ内に納めた状態で、キャビティの導体面から離れて、導体損の発生が抑制できる。また、ＴＭモードなどの不要な共振モードが生じることによる悪影響が抑制できる。
【０１０８】
また、この発明によれば、誘電体共振素子と誘電体共振素子を収納するキャビティとから誘電体共振器を構成したことにより、ＴＥ０１δ２重モードの誘電体共振素子から外部への電磁界の漏れおよび外部回路との不要な結合が防止でき、特性が安定化する。
【０１０９】
また、この発明によれば、キャビテイ内に、該キャビテイ内の誘電体共振素子の所定の共振モードに結合する入出力結合手段を設けてフィルタを構成したことにより、低挿入損失で選択性に優れたフィルタ特性が得られる。
【０１１０】
また、この発明によれば、誘電体共振素子の中心線に平行な任意な面を、キャビテイの内壁面に非平行に配置してフィルタを構成したことにより、隣接共振器間の結合のためのループや伝送線路が不要となり、損失の低減化、生産性の向上化、および低コスト化が図れる。
【０１１１】
また、この発明によれば、複数の前記誘電体共振素子の前記第１・第２の平板部分のいずれか一方の平板部分同士が略同一平面を共有し、且つ前記中心線がキャビティの上下面に対して平行に向くように、当該複数の誘電体共振素子を配置したことにより、不要なＴＭ１１０モードの伝搬が阻止でき、減衰域に悪影響がでるのを抑制できる。
【０１１２】
また、この発明によれば、中心線がキャビティの上下面に対して平行に向くように配置した誘電体共振素子と、中心線がキャビティの上下面に対して垂直に向くように配置した誘電体共振素子とを組み合わせたことにより、不要なＴＭ１１０モードの伝搬を阻止するとともに、容易に多段化が図れる。
【０１１３】
また、この発明によれば、中心線がキャビティの上下面に対して平行に向くように配置した誘電体共振素子に、ＴＥ０１δシングルモード共振器やＴＥＭ半同軸空洞共振器などの単一モードの共振素子を組み合わせたことにより、不要なＴＭ１１０モードの伝搬を阻止することができる。
【０１１４】
また、この発明によれば、線路と、該線路の端部に接続した能動素子と、線路に対してその途中で結合する誘電体共振素子とからなる発振器を２組設け、線路および能動素子を形成した基板上に、誘電体共振素子を載置するとともに、その奇モードと偶モードの磁界を、２つの線路にそれぞれ結合させて発振器装置を構成したことにより、単一の誘電体共振素子を用いて、小型化を図りつつ２周波の発振信号を出力する発振器装置が構成できる。
【０１１５】
また、この発明によれば、基板上に上記２組の発振器の線路同士を略平行に配置し、誘電体共振素子として作用する誘電体材の中心線が基板に平行となるように該誘電体共振素子を配置し、誘電体共振素子の奇モードと偶モードの磁界を、２組の発振器の線路にそれぞれ結合させたことにより、基板上へ線路および発振器全体の配置が容易となる。
【０１１６】
また、この発明によれば、誘電体共振器、フィルタ、または発振器装置を備えて通信装置を構成したことにより、小型軽量で、電力効率の高い、高感度な通信性能を備えた通信装置が構成できる。
【図面の簡単な説明】
【図１】第１の実施形態に係る誘電体共振素子の構成を示す図
【図２】第２の実施形態に係る誘電体共振素子の構成を示す図
【図３】第３の実施形態に係る誘電体共振素子の構成を示す図
【図４】第４の実施形態に係る誘電体共振素子の構成を示す図
【図５】第５の実施形態に係る誘電体共振素子の構成を示す図
【図６】第６の実施形態に係る誘電体共振素子の構成を示す図
【図７】第７の実施形態に係る誘電体共振素子の構成を示す図
【図８】第８の実施形態に係る、２つのＴＥ０１δモードと、その結合モードである偶モード・奇モードの電磁界分布の例を示す図
【図９】２つのＴＥ０１δモードを結合させた誘電体共振素子の構成を示す斜視図
【図１０】第９の実施形態に係る、２つのＴＥ０１δモードを結合させた誘電体共振素子の構成を示す斜視図
【図１１】第１０の実施形態に係る誘電体共振器ユニットの構成を示す図
【図１２】第１１の実施形態に係る誘電体共振器ユニットの構成を示す図
【図１３】第１２の実施形態に係るフィルタの構成を示す図
【図１４】第１３の実施形態に係るフィルタの構成を示す図
【図１５】第１４の実施形態に係るフィルタの構成を示す図
【図１６】第１５の実施形態に係るフィルタの構成を示す図
【図１７】ＴＭ１１０ｚモードの電磁界分布の例を示す図
【図１８】第１６の実施形態に係るフィルタの構成を示す図
【図１９】第１７の実施形態に係るフィルタの構成を示す図
【図２０】第１８の実施形態に係る発振器装置の構成を示す斜視図
【図２１】同発振器装置における１組の発振器部分の等価回路図
【図２２】第１９の実施形態に係る通信装置の構成を示すブロック図
【図２３】誘電体共振素子の共振モードと２つの線路との位置関係について示す図
【図２４】誘電体共振素子の共振モードと２つの線路との位置関係について示す図
【符号の説明】
１−誘電体共振素子
１ａ，１ｂ−平板部分
２−支持台
３−キャビティ
３ｂ−底板
３ｔ−上蓋
３ｗ−側壁
４−同軸コネクタ
５，６−結合ループ
１０−誘電体共振器ユニット
１１−線路
２１〜２４−線路
２５−基板
ｃｗ−結合窓
Ｄ−括れ
Ｐ−突出部
【図１】
2004186712.tif 000003
【図２】
2004186712.tif 000004
【図３】
2004186712.tif 000005
【図４】
2004186712.tif 000006
【図５】
2004186712.tif 000007
【図６】
2004186712.tif 000008
【図７】
2004186712.tif 000009
【図８】
2004186712.tif 000010
【図９】
2004186712.tif 000011
【図１０】
2004186712.tif 000012
【図１１】
2004186712.tif 000013
【図１２】
2004186712.tif 000014
【図１３】
2004186712.tif 000015
【図１４】
2004186712.tif 000016
【図１５】
2004186712.tif 000017
【図１６】
2004186712.tif 000018
【図１７】
2004186712.tif 000019
【図１８】
2004186712.tif 000020
【図１９】
2004186712.tif 000021
【図２０】
2004186712.tif 000022
【図２１】
2004186712.tif 000023
【図２２】
2004186712.tif 000024
【図２３】
2004186712.tif 000025
【図２４】
2004186712.tif 000026